(57)【要約】【課題】床下収納庫の蓋体支持装置への採用において、床に形成された開口部を開閉する蓋体を床の上面に重なる位置まで開放させることができるようにした簡単構造の開閉具を提供することである。【解決手段】床１に形成された開口部２を開閉する蓋体４の外周一面に凹部５を設け、その凹部５内に組み付けられて蓋体４を開閉自在に支持する開閉具１０を、一対のヒンジ片２１ａ、２１ｂのそれぞれ一側部にヒンジ軸２３を設け、そのヒンジ軸２３を連結環２５の長孔２６に挿入して一対のヒンジ片２１ａ、２１ｂを開閉自在に連結したヒンジ２０と、そのヒンジ２０をスライド自在に支持するガイド凹部３４が形成されたヒンジ受け具３０とで構成する。ヒンジ片２１ｂを蓋体４の凹部５の内面に固定し、ヒンジ受け具３０を開口部２の内周に固定し、そのヒンジ受け具３０のガイド凹部３４に残りのヒンジ片２１ａをスライド自在に嵌合し、蓋体４の開放時にヒンジ片２１ａを上方にスライドさせて、蓋体４が床１の上面に重なる位置まで開放できるようにする。【選択図】図６
2011102526.tif 000002
【特許請求の範囲】
【請求項１】
開閉体支持対象に対して開閉体を開閉自在に支持するヒンジと、前記開閉体支持対象にねじ止めされて、開閉体支持対象にヒンジをスライド自在に連結するヒンジ受け具とからなり、
前記ヒンジが、一対の板状のヒンジ片のそれぞれ一側部にヒンジ軸が設けられ、そのヒンジ軸が連結環に形成された長孔内に挿入されて、前記一対のヒンジ片が開閉自在に連結され、一方のヒンジ片に表裏に貫通する窓を設けた構成とされ、
前記ヒンジ受け具が、前記開閉体支持対象に対向配置される帯状の支持板部を有し、その支持板部の前記開閉体支持対象に対する対向面側に前記ヒンジの一方のヒンジ片がスライド自在に嵌合されるガイド凹部が形成され、そのガイド凹部の開閉体支持対象に対する対向面に前記窓内に挿入され、その窓の内周下辺に対する当接により一方のヒンジ片を抜止めする係合片が形成された構成とされた開閉具。
【請求項２】
前記係合片が、上側を折り曲げの起点とする切り起こしにより形成されて傾斜状とされた請求項１に記載の開閉具。
【請求項３】
床下に収納庫を設け、床には前記収納庫の上方位置に開口部を形成し、その開口部を蓋体によって開閉自在とした床下収納庫の蓋体支持装置において、
前記蓋体の外周一面に請求項１又は２に記載の開閉具の一対のヒンジ片が互いに対向する折畳み状態で開閉具の全体を収容可能とする大きさの上部が閉塞する凹部を形成し、その凹部内に前記開閉具を組込み、その開閉具におけるヒンジ受け具を開口部の内周一面に取付け、そのヒンジ受け具のガイド凹部で前記一対のヒンジ片の一方をスライド自在に支持し、他方のヒンジ片を前記凹部の開口部内周と対向する内面に取付けたことを特徴とする床下収納庫の蓋体支持装置。
【請求項４】
前記蓋体の開閉側端面を開口部内周に対する対向間隔が上部から下部に至るに従って次第に大きくなるテーパ面とした請求項３に記載の床下収納庫の蓋体支持装置。
【請求項５】
前記開口部における両側内面の蓋体の開閉中心側の一端部とこれに対向する蓋体の両側面の一端部間に、蓋体の外周一面の上側エッジが床上面にせり出しつつ蓋体が開放するように蓋体を開放案内するガイド手段を設けた請求項３又は４に記載の床下収納庫の蓋体支持装置。
【請求項６】
前記ガイド手段が、開口部における両側内面の蓋体の開閉中心側の一端部にガイド板を取付け、前記蓋体の両側面の一端部にはそのガイド板を収容可能とする下部開放の収容凹部を設け、前記ガイド板には、蓋体の開放時に、前記収容凹部の前壁面の下端を接触案内して蓋体の外周一面の上側エッジを床上面にせり出させる凹曲面状のガイド面を形成した構成からなる請求項５に記載の床下収納庫の蓋体支持装置。
【発明の詳細な説明】
【技術分野】
【０００１】
この発明は、床や壁面に形成された開口部の開閉用蓋体等を開閉自在に支持する開閉具およびその開閉具を用いた床下収納庫の蓋体支持装置に関する。
【背景技術】
【０００２】
室内の床下に収納庫を設けた床下収納庫においては、床に開口部を形成し、その開口部を蓋体で開閉させるようにしている。ここで、蓋体を開口部に対して取外し自在とすると、開口部に対する蓋体の嵌め外しに手間がかかるため、蓋体を揺動自在に支持し、その蓋体の揺動によって開口部を開閉自在とした床下収納庫が多く提案されている。
【０００３】
ここで、蝶番の取付けによって蓋体を揺動自在に支持すると、蝶番は、その揺動中心となるヒンジ軸部が床面に露出する取付けとなり、床面の体裁が悪くなるため、特許文献１に記載された床下収納庫においては、蓋体の下面両側部の下方に開閉具を組込み、その開閉具によって蓋体を揺動自在に支持している。
【先行技術文献】
【特許文献】
【０００４】
【特許文献１】特開２００２−２２０９７０号公報
【発明の概要】
【発明が解決しようとする課題】
【０００５】
ところで、特許文献１に記載された床下収納庫においては、蓋体を揺動自在に支持する開閉具がリンク機構を採用した構成であるため、構成が複雑であって部品点数が多く、組み立てに非常に手間がかかるという問題がある。
【０００６】
また、蓋体の開放角度が水平位置から９０°を少し超える程度であるため、収納庫内に対する収納品の出し入れの際に蓋体が邪魔することがあり、また、開放状態の蓋体に外力が付加されると、蓋体が倒れて怪我する危険がある。
【０００７】
この発明の課題は、床下収納庫や壁面収納庫の蓋体支持装置への採用においては、床あるいは壁面に形成された開口部を開閉する蓋体を床の上面に重なる位置あるいは壁面パネルの内表面に重なる位置まで開放させることができるようにした簡単な構造の開閉具、および、その開閉具を用いた床下収納庫の蓋体支持装置を提供することである。
【課題を解決するための手段】
【０００８】
上記の課題を解決するために、この発明に係る開閉具においては、開閉体支持対象に対して開閉体を開閉自在に支持するヒンジと、前記開閉体支持対象にねじ止めされて、開閉体支持対象にヒンジをスライド自在に連結するヒンジ受け具とからなり、前記ヒンジが、一対の板状のヒンジ片のそれぞれ一側部にヒンジ軸が設けられ、そのヒンジ軸が連結環に形成された長孔内に挿入されて、前記一対のヒンジ片が開閉自在に連結され、一方のヒンジ片に表裏に貫通する窓を設けた構成とされ、前記ヒンジ受け具が、前記開閉体支持対象に対向配置される帯状の支持板部を有し、その支持板部の前記開閉体支持対象に対する対向面側に前記ヒンジの一方のヒンジ片がスライド自在に嵌合されるガイド凹部が形成され、そのガイド凹部の開閉体支持対象に対する対向面に前記窓内に挿入され、その窓の内周下辺に対する当接により一方のヒンジ片を抜止めする係合片が形成された構成を採用したのである。
【０００９】
ここで、開閉体支持対象とは、開口部が形成された床や壁面、あるいは、点検口が形成された天井等をいい、また、開閉体とは、その開口部を開閉する蓋体や点検口を開閉する点検蓋等をいう。
【００１０】
この発明に係る床下収納庫の蓋体支持装置においては、床下に収納庫を設け、床には前記収納庫の上方位置に開口部を形成し、その開口部を蓋体によって開閉自在とした床下収納庫の蓋体支持装置において、前記蓋体の外周一面に上記開閉具の一対のヒンジ片が互いに対向する折畳み状態で開閉具の全体を収容可能とする大きさの上部が閉塞する凹部を形成し、その凹部内に前記開閉具を組込み、その開閉具におけるヒンジ受け具を開口部の内周一面に取付け、そのヒンジ受け具のガイド凹部で前記一対のヒンジ片の一方をスライド自在に支持し、他方のヒンジ片を前記凹部の開口部内周と対向する内面に取付けた構成を採用したのである。
【００１１】
ここで、一方のヒンジ片に形成された係合片を、上側を折り曲げの起点とする切り起こしにより形成して傾斜状とすることにより、ガイド凹部の上側からそのガイド凹部内に一方のヒンジ片を差し込むことにより、係合片が弾性変形してヒンジ片の差し込みを許容し、そのヒンジ片に形成された窓が係合片に対向する位置までヒンジ片が差し込まれると、係合片は復元弾性により窓に嵌る状態となる。このため、開閉具を簡単に組込み状態とすることができる。
【００１２】
上記の構成からなる床下収納庫の蓋体支持装置において、蓋体の開閉側端部を上方に引上げると、蓋体の外周一面の上部が開口部の内周面上部に当接し、その当接部を中心にして蓋体が上方に揺動し、その蓋体に取付けられた他方のヒンジ片のヒンジ軸が連結環の長孔に沿って移動して長孔の端部に当接する。
【００１３】
その当接状態から蓋体が同方向にさらに引上げられると、連結環を介して一方のヒンジ片に引上げ力が付加される。その引上げ力により、一方のヒンジ片がヒンジ受け具のガイド凹部内で上方に向けてスライドし、その一方のヒンジ片に設けられたヒンジ軸が床の上面より上方に位置する状態とされる。
【００１４】
このとき、連結環および蓋体は床面上に配置されるヒンジ軸を中心にして揺動可能であるため、蓋体を床面上に重なる位置まで揺動させることができる。
【００１５】
このように、ヒンジの一方のヒンジ片はヒンジ受け具のガイド凹部においてスライド自在とされているため、開閉具の全体が蓋体の外周一面に形成された凹部内に納まって歩行の障害となることのない安全で体裁のよい取付けでありながらも、蓋体を床板の上面に重なる位置まで開放させることができる。
【００１６】
また、支持板部に設けられた係合片は、一方のヒンジ片に形成された窓内に配置され、その一方のヒンジ片が必要以上に引上げられると、窓の下辺が係合片の下面に係合するため、ヒンジ片がガイド凹部から抜け出ることがなく、ヒンジ受け具とヒンジを組付け状態に確実に保持することができる。
【００１７】
ここで、蓋体の開閉側端面を開口部内周に対する対向間隔が上部から下部に至るに従って次第に大きくなるテーパ面としておくことにより、蓋体の開放初期に開閉側端面が開口部の内面に干渉するのを防止することができ、蓋体の開放側端面と、その開閉側端面が対向する開口部の内面間の隙間を小さくすることができる。
【００１８】
この発明に係る床下収納庫の蓋体支持装置において、開口部における両側内面の蓋体の開閉中心側の一端部とこれに対向する蓋体の両側面の一端部間に、蓋体の外周一面の上側エッジが床上面にせり出しつつ蓋体が開放するように蓋体を開放案内するガイド手段を設けておくと、蓋体の開放初期に、その蓋体の外周一面の上部が床上面にせり出して、その上部が開口部の開口縁に当接し、その当接部を中心にして蓋体が上方に揺動するため、スライド自在の一方のヒンジ片の上部に負荷される曲げモーメントを小さくすることができ、上記一方のヒンジ片の変形防止に効果を挙げることができる。また、一方のヒンジ片を上方に向けてスムーズにスライドさせることができ、蓋体を円滑に開放させることができる。
【００１９】
上記ガイド手段として、開口部における両側内面の蓋体の開閉中心側の一端部にガイド板を取付け、前記蓋体の両側面の一端部にはそのガイド板を収容可能とする下部開放の収容凹部を設け、前記ガイド板には、蓋体の開放時に、前記収容凹部の前壁面の下端を接触案内して蓋体の外周一面の上側エッジを床上面にせり出させる凹曲面状のガイド面を形成した構成からなるものを採用することができる。
【発明の効果】
【００２０】
上記のように、この発明に係る開閉具においては、開閉体に取付けられるヒンジと開閉体支持対象に取付けられるヒンジ受け具とからなる部品点数の少ない簡単な構成であるため、組付けの容易なコストの安い開閉具を提供することができる。また、床下収納庫の蓋体支持装置への採用において、蓋体の外周一面の下部に形成された凹部内に全体が収容されて歩行の障害となることのない安全で体裁のよい取付けでありながらも、蓋体を床の上面に重なる位置まで開放させることができる。このため、収納庫に対する収納物品の出し入れに際して蓋体が邪魔をすることがなく、また、蓋体が倒れて怪我をする危険もなく、収納物品の出し入れを容易に安全に行なうことができる。
【図面の簡単な説明】
【００２１】
【図１】この発明に係る開閉具を採用した床下収納庫の蓋体支持装置を示す平面図
【図２】図１のII−II線に沿った断面図
【図３】図２の開閉具の取付け部位を拡大して示す断面図
【図４】図２のIV−IV線に沿った断面図
【図５】開閉蓋の開放途中の状態を示す断面図
【図６】開閉蓋の開放状態を示す断面図
【図７】図６の左側面図
【図８】この発明に係る床下収納庫の蓋体支持装置の他の実施の形態を示す一部切欠平面図
【図９】図８のIX−IX線に沿った断面図
【図１０】図９のX−X線に沿った断面図
【図１１】開閉蓋の開放途中の状態を示す断面図
【発明を実施するための形態】
【００２２】
以下、この発明の実施の形態を図面に基づいて説明する。図１乃至図４は、この発明に係る床下収納庫の蓋体支持装置を示す。図１および図２に示すように、フローリングによって形成された床１には開口部２が形成され、その開口部２の下方には収納庫３が設けられている。
【００２３】
開口部２は蓋体４によって開閉される。蓋体４は、その外周一面と開口部２の内周間に組込まれた開閉具１０によって開閉自在に支持され、その開閉側端面４ａは開口部２の内周に対する対向間隔が上部から下部に至るに従って次第に大きくなるテーパ面とされている。
【００２４】
図３、図６および図７に示すように、開閉具１０は、ヒンジ２０と、ヒンジ受け具３０とからなる。ヒンジ２０は、２枚のヒンジ片２１ａ、２１ｂのそれぞれ一側部に１８０°の折曲げ部２２を形成して、その折曲げ部２２でヒンジ軸２３を保持し、上記折曲げ部２２に複数の切欠部２４を設け、一方のヒンジ片２１ａの切欠部２４と他方のヒンジ片２１ｂの切欠部２４に端部が嵌め込まれた扁平な連結環２５の長孔２６内に２本のヒンジ軸２３のそれぞれを挿通して、２枚のヒンジ片２１ａ、２１ｂを開閉自在に連結した構成とされている。
【００２５】
ここで、ヒンジ片２１ａ、２１ｂは、厚さ１ｍｍ程度の扁平な金属板からなり、その金属板の片面一側部に両端に至る深さ０．５ｍｍ程度の溝の形成によって薄肉部２７と、その薄肉部２７を長さ方向に複数に分断する複数の角孔とを形成し、上記薄肉部２７からの１８０°の折曲げによってφ１ｍｍのヒンジ軸２３を保持し、上記角孔によって切欠部２４を形成しており、上記ヒンジ片２１ａ、２１ｂの折曲げ部での厚みが２ｍｍ程度とされている。
【００２６】
一方、連結環２５は、φ０．４ｍｍの鋼線を端面形状を長円形の螺旋状に密に巻き付け、長さ１０ｍｍ、外側の幅寸法を約７ｍｍ、両側半円状部の内径を１．１ｍｍ程度としたものを用いるようにしているが、断面長円形の薄肉の金属短管を用いるようにしてもよい。
【００２７】
上記２枚のヒンジ片２１ａ、２１ｂうち、一方のヒンジ片２１ａには表裏に貫通する角形の窓２８が形成されている。
【００２８】
図３および図７に示すように、ヒンジ受け具３０は、帯状の支持板部３１の長さ方向の両端部に、その支持板部３１の片面側に向く一対の折曲げ片３２を設け、各折曲げ片３２のそれぞれ端部に外向きの取付片部３３を設けた構成とされ、上記折曲げ片３２の形成によって支持板部３１の片面側にガイド凹部３４が設けられ、そのガイド凹部３４に対してヒンジ２０を構成する一方のヒンジ片２１ａがスライド自在に嵌合されている。
【００２９】
また、支持板部３１には、コの字形の切り込み３５が形成され、その切り込み３５の内側部分はガイド凹部３４側に起こされて係合片３６が形成されている。係合片３６は上部を折曲げの起点とする折曲げであって傾斜状とされている。この係合片３６は、ガイド凹部３４に一方のヒンジ片２１ａをスライド自在に嵌合する開閉具１０の組立て状態で、そのヒンジ片２１ａに形成された窓２８内に嵌り、その窓２８の下辺が係合片３６の下面に当接する範囲内においてヒンジ片２１ａはスライド自在とされ、上方へ抜け出るのが防止される。
【００３０】
実施の形態では、厚さ１．２ｍｍ程度の金属板をプレス成形してヒンジ受け具３０を形成しており、ガイド凹部３４の深さは、１．１ｍｍ程度とされている。
【００３１】
図３に示すように、蓋体４の内周一面には、上部が閉塞する凹部５が形成されている。凹部５は、開閉具１０の一対のヒンジ片２１ａ、２１ｂが互いに対向する折畳み状態でその開閉具１０の全体を収容可能とする大きさとされ、その凹部５に対する開閉具１０の組込み状態で、ヒンジ受け具３０の両端の取付片部３３が開口部２の内周にねじ止めされている。また、他方のヒンジ片２１ｂは、凹部５の開口部２内周と対向する内面にねじ止めされている。
【００３２】
なお、開閉具１０の取付けは、上記のように、ヒンジ２０の一方のヒンジ片２１ａをヒンジ受け具３０のガイド凹部３４に嵌合する開閉具１０の組立状態で行なうようにしてもよいが、ヒンジ２０の他方のヒンジ片２１ｂを凹部５の内面にねじ止めすると共に、開口部２の内面にヒンジ受け具３０をねじ止めし、そのヒンジ受け具３０のガイド凹部３４の上方からガイド凹部３４内に一方のヒンジ片２１ａを差し込むようにしてもよい。
【００３３】
なお、図１に示す４０は、蓋体４の開閉側端部の上面に設けた指掛け部を示す。
【００３４】
実施の形態で示す床下収納庫の蓋体支持装置は上記の構造からなり、図１および図２は、蓋体４が開口部２を閉鎖している状態を示す。その開口部２の開放に際しては、指掛け部４０に指を掛けて蓋体４の開閉側端部を引き上げる。
【００３５】
いま、蓋体４の開閉側端部を引き上げると、蓋体４の外周一面の上部に形成された面取り６の下側のエッジ７が、図２および図３に示す開口部２の内周面上部のａ点に当接し、その当接点aを中心にして蓋体４が上方に揺動し、その蓋体４に取付けられた他方のヒンジ片２１ｂのヒンジ軸２３が連結環２５の長孔２６に沿って移動して、図５に示すように、長孔２６の端部に当接する。
【００３６】
その当接状態から蓋体４が同方向にさらに引上げられると、連結環２５を介して一方のヒンジ片２１ａに引上げ力が付加される。その引上げ力により、一方のヒンジ片２１ａがヒンジ受け具３０のガイド凹部３４内で上方に向けてスライドし、その一方のヒンジ片２１ａに設けられたヒンジ軸２３が床１の上面より上方に位置する状態とされる。
【００３７】
このとき、連結環２５および蓋体４は床１の上面より上方に配置される上記ヒンジ軸２３を中心にして揺動し得るため、図６に示すように、床１の上面に重なる位置まで蓋体４を揺動させて開放状態とすることができる。
【００３８】
このように、ヒンジ２０の一方のヒンジ片２１ａは、開口部２の内周面に取付けられたヒンジ受け具３０のガイド凹部３４においてスライド自在とされているため、開閉具１０の全体が蓋体４の一側面に形成された凹部５内に納まって歩行の障害となることのない安全で体裁のよい取付けでありながらも、蓋体４を床１の上面に重なる位置まで開放させることができる。
【００３９】
また、ヒンジ受け具３０の支持板部３１に設けられた係合片３６は、一方のヒンジ片２１ａに形成された窓２８内に配置され、一方のヒンジ片２１ａが必要以上に引上げられると、窓２８の下辺が係合片３６の下面に当接することになる。このため、ヒンジ片２１ａがガイド凹部３４から抜け出ることがなく、ヒンジ受け具３０とヒンジ２０を組付け状態に確実に保持することができる。
【００４０】
ここで、蓋体４の開閉側端面４ａは、開口部２の内周に対する対向間隔が上部から下部に至るに従って次第に大きくなるテーパ面とされているため、蓋体４の開放初期に開閉側端面４ａが開口部２の内面に干渉することがない。このため、蓋体４の開放側端面４ａと、その開閉側端面４ａが対向する開口部２の内面間の隙間を小さくすることができる。
【００４１】
実施の形態においては、この発明に係る開閉具１０を床下収納庫の蓋体４の開閉用として使用したが、開閉具１０の使用はこれに限定されるものではない。例えば、壁面に形成された開口部の開閉用蓋体や天井点検口の点検蓋の支持用として用いるようにしてもよい。
【００４２】
図８乃至図１１は、この発明に係る床下収納庫の蓋体支持装置の他の実施の形態を示す。この実施の形態においては、開口部２における両側内面の蓋体４の開閉中心側の一端部とこれに対向する蓋体４の両側面の一端部間に、蓋体４の外周一面の上部に形成された面取り６の下側のエッジ７が床１の上面にせり出しつつ蓋体４が開放するように蓋体４を開放案内するガイド手段５０を設けている点で図１に示す実施の形態で示す床下収納庫の蓋体支持装置と相違している。このため、図１に示す実施の形態と同一の部品には同一の符号を付して説明を省略する。
【００４３】
ここで、ガイド手段５０は、図９および図１０に示すように、開口部２における両側内面の蓋体４の開閉中心側の一端部それぞれにガイド板５１をねじ止めし、一方、蓋体４の両側面の一端部それぞれに上記ガイド板５１を収容可能とする下部開放の収容凹部５２を設け、上記ガイド板５１には、蓋体４の開放時に、前記収容凹部５２の前壁面５３の下端を接触案内して蓋体４の外周一面のエッジ７を床１の上面にせり出させる凹曲面状のガイド面５４を形成した構成とされている。
【００４４】
上記のように、開口部２における両側内面の蓋体４の開閉中心側の一端部とこれに対向する蓋体４の両側面の一端部間にガイド手段５０を設けると、蓋体４の開放初期に、蓋体４は、外周一面の上部が床１の上面にせり出しつつ上方に向けて揺動して、図１１に示すように、外周一面の上部が開口部２の開口縁に当接し、その当接部を中心にして蓋体４がさらに上方に向けて揺動する。このため、スライド自在の一方のヒンジ片２１ａの上部に負荷される引き上げ力Ｆ０の水平方向分力Ｆ１が小さくなり、ヒンジ片２１ａの上部に負荷される曲げモーメントを小さくすることができる。その結果、一方のヒンジ片２１ａが折れ曲るということがなくなり、一方のヒンジ片２１ａの変形防止に効果を挙げることができる。
【００４５】
また、一方のヒンジ片２１ａに負荷される引き上げ力Ｆ０の垂直方向分力Ｆ２は逆に大きくなるため、一方のヒンジ片２１ａを上方に向けてスムーズにスライドさせることができ、蓋体４を円滑に開放させることができる。
【符号の説明】
【００４６】
１      床(開閉体支持対象)
２      開口部
３      収納庫
４      蓋体(開閉体)
５      凹部
１０    開閉具
２０    ヒンジ
２１ａ  ヒンジ片
２１ｂ  ヒンジ片
２３    ヒンジ軸
２５    連結環
２６    長孔
２８    窓
３０    ヒンジ受け具
３１    支持板部
３４    ガイド凹部
３６    係合片
５０    ガイド手段
５２    収容凹部
５３    前面壁
５４    ガイド面
【図１】
2011102526.tif 000003
【図２】
2011102526.tif 000004
【図３】
2011102526.tif 000005
【図４】
2011102526.tif 000006
【図５】
2011102526.tif 000007
【図６】
2011102526.tif 000008
【図７】
2011102526.tif 000009
【図８】
2011102526.tif 000010
【図９】
2011102526.tif 000011
【図１０】
2011102526.tif 000012
【図１１】
2011102526.tif 000013